(57)【特許請求の範囲】
【請求項１】
その内壁面に螺旋状のブレードが固定され、駆動装置で正・逆回転させることができる回転ドラムを用いた混練装置をトラックの荷台に備えるミキサー車において、前記混練装置は、その先端部が前記回転ドラムの内底面略中央部に設けられたシャフトと、該シャフトの先端部付近又は先端部寄りの部位に取付けられ、かつ、前記回転ドラムの回転で混練されながら前記内底面方向へ移動してくる混練材料を、該移動方向とは逆方向へ移動させることができる撹拌ブレードとで構成され、前記シャフトは、先端部が前記回転ドラムに支持され、かつ後端部が支持部材に固定されており、前記撹拌ブレードは、螺旋状に形成されていることを特徴とするミキサー車。
【請求項２】
前記トラックの運転席には、前記混練装置を操作することができる操作パネルを備えることを特徴とする請求項１に記載のミキサー車。
【請求項３】
その内壁面に螺旋状のブレードが固定され、駆動装置で正・逆回転させることができる回転ドラムを用いた混練装置において、該混練装置は、その先端部が前記回転ドラムの内底面略中央部に設けられたシャフトと、該シャフトの先端部付近又は先端部寄りの部位に取付けられ、かつ、前記回転ドラムの回転で混練されながら前記内底面方向へ移動してくる混練材料を、該移動方向とは逆方向へ移動させることができる撹拌ブレードとで構成され、前記シャフトは、先端部が前記回転ドラムに支持され、かつ後端部が支持部材に固定されており、前記撹拌ブレードは、螺旋状に形成されていることを特徴とする混練装置。
【発明の詳細な説明】
【技術分野】
【０００１】
本発明は生コンクリート材料を回転ドラム内へ収納し、混練して生コンクリートを製造することができるミキサー車及び混練装置に関する。
【背景技術】
【０００２】
従来、ミキサー車は生コンクリート製造工場から回転ドラム内に生コンクリートを収納し、撹拌しながら使用現場へ輸送する場合に使用されている。
【０００３】
しかしながら、生コンクリート製造工場と使用現場が比較的に近い場合は問題が生じないが、遠い場合や交通渋滞が生じた場合、生コンクリートが品質劣化する等の不具合が生じるという欠点があった。
【０００４】
この欠点を解消するため、回転ドラム内に生コンクリート材料を投入し、使用現場まであらかじめ設定された時間で行けるところで、所定量の水を回転ドラム内へ投入して回転ドラムを回転させて混練しながら使用現場へ運ぶミキサー車が、本出願人によって考えられているが、シャフトに回転可能に取付けられた支持バーを介して撹拌ブレードが固定されているため、構造が複雑でコスト高になるという欠点があった。
【先行技術文献】
【特許文献】
【０００５】
【特許文献１】特開２０１５−２４５２２号公報
【発明の概要】
【発明が解決しようとする課題】
【０００６】
本発明は以上のような従来の欠点に鑑み、回転ドラム内で生コンクリート材料を効率よく混練でき、安価に設置することができるミキサー車及び混練装置を提供することを目的としている。
【０００７】
本発明の前記ならびにそのほかの目的と新規な特徴は次の説明を添付図面と照らし合わせて読むと、より完全に明らかになるであろう。
【０００８】
ただし、図面はもっぱら解説のためのものであって、本発明の技術的範囲を限定するものではない。
【課題を解決するための手段】
【０００９】
上記目的を達成するために、本発明のミキサー車は、その内壁面に螺旋状のブレードが固定され、駆動装置で正・逆回転させることができる回転ドラムを用いた混練装置をトラックの荷台に備えるミキサー車において、前記混練装置は、その先端部が前記回転ドラムの内底面略中央部に設けられたシャフトと、該シャフトの先端部付近又は先端部寄りの部位に取付けられ、かつ、前記回転ドラムの回転で混練されながら前記内底面方向へ移動してくる混練材料を、該移動方向とは逆方向へ移動させることができる撹拌ブレードとで構成され、前記シャフトは、先端部が前記回転ドラムに支持され、かつ後端部が支持部材に固定されており、前記撹拌ブレードは、螺旋状に形成されていることを特徴とする。
【００１０】
また、本発明の混練装置は、その内壁面に螺旋状のブレードが固定され、駆動装置で正・逆回転させることができる回転ドラムを用いた混練装置において、該混練装置は、その先端部が前記回転ドラムの内底面略中央部に設けられたシャフトと、該シャフトの先端部付近又は先端部寄りの部位に取付けられ、かつ、前記回転ドラムの回転で混練されながら前記内底面方向へ移動してくる混練材料を、該移動方向とは逆方向へ移動させることができる撹拌ブレードとで構成され、前記シャフトは、先端部が前記回転ドラムに支持され、かつ後端部が支持部材に固定されており、前記撹拌ブレードは、螺旋状に形成されていることを特徴とする。
【発明の効果】
【００１１】
以上の説明から明らかなように、本発明にあっては次に列挙する効果が得られる。
（１）請求項１に記載の発明においては、シャフトに固定された撹拌ブレードによって、回転ドラムの壁面側に寄っている混練材料を効率よく混練することができ、効率よく生コンクリートを製造することができる。
（２）シャフトが回転ドラムに対して回転可能な状態で支持部材に固定されているので、回転ドラムを回転させた際に、シャフトが回転ドラムと同調して回転することを防止できる。したがって、混練材料を効率よくせん断し、混練することができる。
（３）構造が簡単なため、安価に製造することができる。
（４）螺旋状の撹拌ブレードによって、混練材料をより効率よく混練することができる。
（５）請求項２に記載の発明も前記（１）〜（４）と同様な効果が得られるとともに、運転席からでも回転ドラム等を操作することができる。
（６）請求項３に記載の発明も前記（１）〜（４）と同様な効果が得られる。
【図面の簡単な説明】
【００１２】
【図１】本発明を実施するための第１の形態の側面図。
【図２】本発明を実施するための第１の形態の平面図。
【図３】本発明を実施するための第１の形態の一部破断面図。
【図４】図２の４−４線に沿う一部概略断面説明図。
【図５】本発明を実施するための第１の形態のシャフトと撹拌ブレードの取付け状態の説明図。
【図６】本発明を実施するための第１の形態の回転ドラムに生コンクリート材料を投入する場合の説明図。
【図７】本発明を実施するための混練装置の第２の形態の正面図。
【図８】本発明を実施するための混練装置の第２の形態の平面図。
【図９】図８の９−９線に沿う一部概略断面説明図。
【発明を実施するための形態】
【００１３】
以下、図面に示す本発明を実施するための形態により、本発明を詳細に説明する。
【００１４】
図１ないし図６に示す本発明を実施するための第１の形態において、１は使用現場に着くまでに生コンクリートを製造したり、使用現場で生コンクリートを製造することができる本発明のミキサー車で、このミキサー車１は、トラック２の荷台７に、その内壁面３ａに螺旋状のブレード４が固定され、かつ駆動装置５の駆動力で正・逆回転させることができる傾倒状の回転ドラム３を用いた混練装置６を備えるミキサー車である。
【００１５】
前記回転ドラム３の前記荷台７の後端部側の出入口（開口端）３ｃに対する該荷台７の先端部側の内底面３ｂの略中央部に、先端部が前記内底面３ｂの略中央部に固定した軸受２６を介して支持状態で設けられ、後端部が前記回転ドラムの出入口３ｃの略中央部を通って前記荷台７の後端部に固定された支持部材１９としての支持台の上端部に固定的に取り付けられた傾倒状のシャフト８と、前記回転ドラム３の回転で混練されながら内底面方向へ移動してくる混練材料９を該移動方向とは逆方向へ移動させることができ、前記シャフト８の先端部付近又は先端部寄りの部位に取付けられると共に、前記シャフト８に対して所要の間隔を有して巻きつけるように配設した螺旋状の撹拌ブレード１０と、前記混練装置６を操作することができるトラック２の運転席に設けられた操作パネル１１とで構成されている。
【００１６】
付言すると、前記撹拌ブレード１０は、螺旋状のブレード４とは相違し、長径方向に伸びて折り返す部位が回転ドラム３の内壁面３ａには固定されておらず、シャフト８に固定されているものである。これにより、回転ドラム３が回転しても、シャフト８と撹拌ブレード１０は回転せずに固定された状態となり、混練材料９をせん断するように混練することができる。
【００１７】
なお、ここでシャフト８の先端部並びに撹拌ブレード１０の先端部とは、前記回転ドラム３の内底面３ｂ側をいう。
【００１８】
前記駆動装置５は、トラック２の荷台７の前方の中央部に固定された油圧モータ支持台１２と、この油圧モータ支持台１２に取付けられた油圧モータ１３と、前記荷台７の後方の両端部寄りの部位に固定された上面にローラ１４を有する回転ドラム支持台１５と、前記油圧モータ１３の駆動軸１６とで構成されている。
【００１９】
前記混練装置６は、前記駆動装置５と、一端部が前記油圧モータ１３の駆動軸１６に取付けられ、他端部寄りの部位が前記回転ドラム支持台１５のローラ１４と接するローラリング１７で回転可能に取付けられ、内壁面３ａに螺旋状のブレード４が固定された回転ドラム３と、該回転ドラム３の内底面３ｂ中央部に一端部が軸受２６を介して回転可能に取り付けられ、該回転ドラム３の内側へ突出し、他端部が前記回転ドラムの出入口側の荷台７に固定された支持部材１９に固定的に取り付けられたシャフト８と、このシャフト８の先端部付近の部位に取付けられた、前記回転ドラム３の回転で混練されながら内底方向へ移動してくる混練材料９を該移動方向とは逆方向へ移動させることができる螺旋状の撹拌ブレード１０と、前記回転ドラム３の他端部の出入口３ｃ内へセメント、骨材（砂、砂利等）、混和材料等の生コンクリート材料１８を供給する、前記荷台７に固定された支持部材１９に取付けられたホッパー２０と、前記回転ドラム３の出入口３ｃより排出される生コンクリート２１を受けて外部へ排出する排出シュート２２と、前記荷台７の前方部位に取付けられた、生コンクリート２１を前記回転ドラム３内で製造する時に、該回転ドラム３内へ計量された水を供給することができる計量器付の計量混練水タンク２３とで構成されている。
【００２０】
なお、前記操作パネル１１は、計量混練水タンク２３のポンプ（図示せず）を駆動し、回転ドラム３の内部に水を供給する操作を行うことができるものである。
また、前記シャフト８の中心軸と、回転ドラム３の回転軸は、本実施形態においては略同一軸となっているが、シャフト８の中心軸と回転ドラム３の回転軸が偏芯状態で設けられてもよい。
【００２１】
上記構成のミキサー車１は、輸送袋２４にあらかじめ設定された砂と砂利の混合物、砂、砂利、混和剤等の混合物あるいは、これらの混合物にセメントを混合した生コンクリート材料１８を充填し、図６に示すように輸送袋２４をクレーン２５等で吊り上げ、ホッパー２０上に位置させ、輸送袋２４の底面を開放してホッパー２０を介して回転ドラム３内に生コンクリート材料１８を投入する。
【００２２】
このミキサー車１の回転ドラム３内への生コンクリート材料１８の投入は、生コンクリート製造工場で行なってもよく、あるいは生コンクリートの使用現場あるいはこの使用現場まで品質の劣化しない保管場所で行なってもよい。
【００２３】
回転ドラム３内に生コンクリート材料１８を投入した後、生コンクリートの使用現場が近い場合には、計量器で計量された所定量の水を計量混練水タンク２３より回転ドラム３内へ供給する。
【００２４】
生コンクリートの使用現場が遠く、時間がかかる場合、生コンクリートの使用現場まであらかじめ設定された時間で行ける所まで走行し、その所で所定量の水を計量混練水タンク２３より回転ドラム３内へ供給する。
【００２５】
この状態で回転ドラム３を油圧モータ１３で回転させることで、回転ドラム３内の生コンクリート材料１８と水が混練されながら螺旋状のブレード４によって、回転ドラム３の内底面方向へ移動される。
【００２６】
この混錬されながら回転ドラム３の内底面３ｂ方向の移動によって、シャフト８で左右に分離されるとともに、螺旋状の撹拌ブレード１０によって、該移動方向とは逆方向へ移動させ、効率よく混練する。
【００２７】
このため、比較的短時間で生コンクリート材料１８と水とを強制混練して生コンクリート２１を製造することができる。
回転ドラム３内で製造された生コンクリート２１は、現場で回転ドラム３を逆回転させることにより、螺旋状のブレード４で回転ドラム３の出入口３ｃ方向へ運ばれ、排出シュート２２を介して外部へ排出される。
【００２８】
［発明を実施するための異なる形態］
次に、図７ないし図９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２９】
図７ないし図９に示す本発明を実施するための第２の形態において、前記本発明を実施するための第１の形態と主に異なる点は、トラックの荷台に固定せず、地面等にも設置することができる混練装置６Ａにした点で、このような混練装置６Ａにしても、前記本発明を実施するための第１の形態と同様な作用効果を得ることができるとともに、一般的なトラックに積み込むことでミキサー車とすることもできる。
【００３０】
前記混練装置６Ａは、枠状の支持部材１９Ａと、該支持部材１９Ａに中心軸を回転軸として回動可能で、かつ中心軸に直交する方向に回動可能に設けられた回転ドラム３Ａと、該回転ドラム３Ａを、中心軸を回転軸として回動させる駆動装置５Ａと、前記回転ドラム３Ａを、中心軸に直交する方向に回動させるハンドル２７と、前記回転ドラム３Ａの内底面３ｂの略中央部に先端部が軸受２６を取り付けられ、後端部が前記支持部材１９Ａの上部枠１９ａに固定されたシャフト８Ａと、このシャフト８Ａの先端部付近の部位に取付けられた、前記回転ドラム３Ａの回転で混練されながら内底面方向へ移動してくる混練材料９を、該移動方向とは逆方向へ移動させることができる撹拌ブレード１０とで構成されている。
【００３１】
前記駆動装置５Ａは、油圧モータ１３Ａと、該油圧モータ１３Ａの駆動軸１６Ａに固定されたピニオン２８と、該ピニオン２８と噛み合い、回転ドラム３Ａを、中心軸を回転軸として回動させる歯車２９とで構成されている。
【００３２】
ホッパー２０、排出シュート２２、計量混練水タンク２３等の付属的な装置に関しては、必要に応じて適宜用いればよい。
【００３３】
なお、本発明の実施の形態において、操作パネルは計量混練水タンクのポンプを駆動し、回転ドラムの内部に水を供給する操作を行うことができると説明したが、回転ドラムの油圧モータを駆動し、回転ドラムの正・逆回転させる操作等を行えるように設定してもよい。
【００３４】
また、本願発明の実施の形態において、シャフトの他端部を支持部材としての支持台や、支持枠に固定したものについて説明したが、回転ドラムの回転に同調して回転しない部材であれば、どのようなものを支持部材としてもよい（例えば、ホッパー等）。
【産業上の利用可能性】
【００３５】
本発明は生コンクリート材料と水とを混練して、生コンクリートを製造することができる混練装置を搭載したミキサー車及び混練装置を製造する産業で利用される。
【符号の説明】
【００３６】
１：ミキサー車、              ２：トラック、
３、３Ａ：回転ドラム、        ４：ブレード、
５：駆動装置、                ６、６Ａ：混練装置、
７：荷台、                    ８、８Ａ：シャフト、
９：混練材料、                １０：撹拌ブレード、
１１：操作パネル、            １２：油圧モータ支持台、
１３：油圧モータ、            １４：ローラ、
１５：回転ドラム支持台、      １６：駆動軸、
１７：ローラリング、          １８：生コンクリート材料、
１９、１９Ａ：支持部材、      ２０：ホッパー、
２１：生コンクリート、        ２２：排出シュート、
２３：計量混練水タンク、      ２４：輸送袋、
２５：クレーン、              ２６：軸受、
２７：ハンドル、              ２８：ピニオン、
２９：歯車。
【図１】
0006312218.tif 000002
【図２】
0006312218.tif 000003
【図３】
0006312218.tif 000004
【図４】
0006312218.tif 000005
【図５】
0006312218.tif 000006
【図６】
0006312218.tif 000007
【図７】
0006312218.tif 000008
【図８】
0006312218.tif 000009
【図９】
0006312218.tif 000010